(57)【要約】【課題】アスリートのような鍛え上げた筋肉を持つ人が着たときに、ボディラインを美しく見せ、かつ、腕や肩などの動きを阻害しない衣服を提供する。【解決手段】本発明に係る衣服は、後身頃と、前記後身頃の左肩側上部に配置された、左肩の少なくとも背面を覆う左肩ヨークと、前記後身頃の右肩側上部に配置された、右肩の少なくとも背面を覆う右肩ヨークと、を有し、前記後身頃は、上下方向に比べて左右方向の伸縮性が高く、前記左肩ヨーク及び右肩ヨークは、左右方向に比べて上下方向の伸縮性が高いことを特徴とする。【選択図】図１
2020176348.tif 000002
【特許請求の範囲】
【請求項１】
後身頃と、
前記後身頃の左肩側上部に配置された、左肩の少なくとも背面を覆う左肩ヨークと、
前記後身頃の右肩側上部に配置された、右肩の少なくとも背面を覆う右肩ヨークと、を有し、
前記後身頃は、上下方向に比べて左右方向の伸縮性が高く、
前記左肩ヨーク及び右肩ヨークは、左右方向に比べて上下方向の伸縮性が高いことを特徴とする衣服。
【請求項２】
前記左肩ヨークの下辺及び前記右肩ヨークの下辺は、前記後身頃の上辺と縫製されており、
前記後身頃と前記左肩ヨークとの左肩側縫製部は、左肩側に向かって下方に傾斜しており、
前記後身頃と前記右肩ヨークとの右肩側縫製部は、右肩側に向かって下方に傾斜している請求項１に記載の衣服。
【請求項３】
前記左肩側縫製部の左肩側端部及び前記右肩側縫製部の右肩側端部は、肩甲骨の下部よりも高い位置にある請求項２に記載の衣服。
【請求項４】
前記左肩ヨークと前記右肩ヨークとの間に配された中央ヨークを有する請求項１ないし３のいずれか１項に記載の衣服。
【請求項５】
前記中央ヨークは、メッシュ生地で構成される請求項４に記載の衣服。
【請求項６】
上腕部と胸側部とで挟まれる脇部は、一枚の生地で構成されている請求項１ないし５のいずれか１項に記載の衣服。
【請求項７】
前記後身頃の背中部分には、縦方向に２本のダーツが形成されている請求項１ないし６のいずれか１項に記載の衣服。
【発明の詳細な説明】
【技術分野】
【０００１】
本発明は、アスリートのような鍛え上げた筋肉を持つ人が着たときに、ボディラインを美しく見せ、かつ、腕や肩などの動きを阻害しない衣服に関する。
【背景技術】
【０００２】
近年、トレーニングにより筋肉を鍛える人が増えている。それは、盛り上がった肩、厚みのある背中、そして引き締まった腰という３つの要素を持った逆三角形の体型（アスリート体型）になるためである。そのような体型は、特に男性の場合、見た目がよく格好いい体型とされており、そのような体型を手に入れることのできない人には見た目の体格を誇張できるようなボディースーツが提案されている（特許文献１）ほど、あこがれの体型である。
【先行技術文献】
【特許文献】
【０００３】
【特許文献１】実用新案登録第３１５０６９５号公報
【発明の概要】
【発明が解決しようとする課題】
【０００４】
しかし、鍛え上げた筋肉を持ち、逆三角形の体型の人は、普段着る衣服に困っていることが多い。これは、一般的に販売されている衣服は、幾つかの標準的な体型を想定して作られており、逆三角形の体型に合うように作られていないからである。鍛え上げた筋肉を持つ人が標準的な体型を想定して作られた衣服を着ると、全体的にだぶついた印象を受けたり、腕や肩等の動きを阻害してしまうといった問題がある。
【０００５】
そこで、本発明は、アスリートのような鍛え上げた筋肉を持つ人が着たときに、ボディラインを美しく見せ、かつ、腕や肩などの動きを阻害しない衣服を提供すること目的とする。
【課題を解決するための手段】
【０００６】
本発明に係る衣服は、後身頃と、
前記後身頃の左肩側上部に配置された、左肩の少なくとも背面を覆う左肩ヨークと、
前記後身頃の右肩側上部に配置された、右肩の少なくとも背面を覆う右肩ヨークと、を有し、
前記後身頃は、上下方向に比べて左右方向の伸縮性が高く、
前記左肩ヨーク及び右肩ヨークは、左右方向に比べて上下方向の伸縮性が高いことを特徴とする。
【発明の効果】
【０００７】
本発明によれば、アスリートのような鍛え上げた筋肉を持つ人が着たときに、ボディラインを美しく見せ、かつ、腕や肩などの動きを阻害しない衣服を提供することができる。
【図面の簡単な説明】
【０００８】
【図１】本発明の一実施形態であるワイシャツの構成を示す正面図である。
【図２】本発明の一実施形態であるワイシャツの構成を示す背面図である。
【図３】図１に示すシャツの左脇の下部分及び右脇の下部分の構成を示す拡大図である。
【図４】本発明の他の実施形態であるワイシャツの構成を示す背面図である。
【図５】本発明の他の実施形態であるワイシャツの構成を示す背面図である。
【図６】本発明の他の実施形態であるワイシャツの構成を示す背面図である。
【発明を実施するための形態】
【０００９】
本発明に係る衣服は、ワイシャツ、Ｔシャツ等のシャツ、ブラウス、プルオーバー、カットソー、ワンピース、コート、ジャケット、カーディガン、パジャマ、ベスト、ケープなどの上衣であり、鍛え上げた筋肉を持つ人が着ることを想定したものである。
【００１０】
本発明の一実施形態であるシャツの構成を図１〜３に示す。
図１は、本発明の一実施形態であるワイシャツの構成を示す正面図、図２は、本発明の一実施形態であるワイシャツの構成を示す背面図、図３は、図１に示すワイシャツの左脇の下部分及び右脇の下部分の構成を示す拡大図である。
図に示すように、ワイシャツ１００は、前身頃１と、後身頃２と、左肩ヨーク３と、右肩ヨーク４と、中央ヨーク５と、衿６と、左袖７と、右袖８とを有している。
【００１１】
前身頃１は体の前面を覆う部分であり、後身頃２は体の背面を覆う部分である。
左肩ヨーク３は、図２に示すように、後身頃２の左肩側の上部に配置され、左肩の背面を覆うよう構成されている。
右肩ヨーク４は、図２に示すように、後身頃２の右肩側の上部に配置され、右肩の背面を覆うよう構成されている。
左肩ヨーク３の上辺及び右肩ヨーク４の上辺は、体の前面で前身頃１の上辺と縫製されている。
また、左肩ヨーク３の下辺及び右肩ヨーク４の下辺は、体の背面で後身頃２の上辺と縫製されている。この縫製は、インターロック縫いであるのが好ましい。
【００１２】
後身頃２、左肩ヨーク３及び右肩ヨーク４は、第一の方向と、当該第一の方向と直交する第二の方向とで伸縮性が異なる生地を用いて形成されている。
すなわち、後身頃２は、上下方向に比べて左右方向の伸縮性が高くなるよう生地が配置された構成となっている。言い換えると、後身頃２は、上下方向の伸縮率よりも左右方向の伸縮率が高くなるように生地が配置された構成となっている。さらに言い換えると、後身頃２を構成する生地は、背面側から見て、左右方向にのみ伸縮性を有する構成となっている。
また、左肩ヨーク３及び右肩ヨーク４は、背面側から見て左右方向に比べて上下方向の伸縮性が高くなるよう生地が配置された構成となっている。言い換えると、左肩ヨーク３及び右肩ヨーク４は、背面側から見て、左右方向の伸縮率よりも上下方向の伸縮率が高くなるように生地が配置された構成となっている。さらに言い換えると、左肩ヨーク３及び右肩ヨーク４を構成する生地は、背面側から見て、上下方向にのみ伸縮性を有する構成となっている。
【００１３】
このように、本発明では、後身頃２、左肩ヨーク３及び右肩ヨーク４として、所定の方向に伸縮性が高い生地を用いることに特徴を有しており、これにより、アスリートのような鍛え上げた筋肉を持つ人が着たときに、ボディラインを美しく魅せることができる。また、シャツを着て体を動かした際に、腕や肩などの動きが阻害されることを防止することができる。特に、鍛え上げた筋肉を持つ人は、通常、肩まわりが大きいが、左肩ヨーク３及び右肩ヨーク４の生地として上記のような伸縮性を有するものを用いることで、肩のラインを美しく魅せるとともに、肩の動きが阻害されるのが防止される。
【００１４】
後身頃２と左肩ヨーク３との左肩側縫製部Ａは、図２に示すように、左肩側に向かって下方に傾斜している。言い換えると、左肩側縫製部Ａは、背面側から見て、中央部から左下がりとなっている。
また、後身頃２と右肩ヨーク４との右肩側縫製部Ｂは、図２に示すように、右肩側に向かって下方に傾斜している。言い換えると、右肩側縫製部Ｂは、背面側から見て、中央部から右下がりとなっている。
左肩側縫製部Ａの左肩側端部及び右肩側縫製部Ｂの右肩側端部は、肩甲骨の下部よりも高い位置となるよう構成されている。
左肩ヨーク３と右肩ヨーク４をこのような構成とすることにより、肩甲骨が中央側に寄せられ、背筋が伸びた美しい姿勢をキープすることができる。
【００１５】
左肩ヨーク３と右肩ヨーク４との間には、中央ヨーク５が設けられている。
中央ヨーク５は、左肩ヨーク３及び右肩ヨーク４と縫い合わされている。
中央ヨーク５は、メッシュ生地で構成されることが好ましい。メッシュ生地を用いることで、ワイシャツ１００内の熱気や湿気を中央ヨーク５を介してワイシャツ１００外部に放出することができ、着心地が快適なものとすることができる。なお、中央ヨーク５は必須構成ではなく、中央ヨーク５のないシャツでも構わない。
【００１６】
前身頃１及び中央ヨーク５の上辺の中央部は、内側から首を出すことができるような衿６が形成されている。
上腕部と胸側部とで挟まれる領域には、脇部（左脇部９及び右脇部１０）が設けられている。
左脇部９及び右脇部１０は、図３に示すように、それぞれ一枚の生地で構成されている。
左脇部９及び右脇部１０を構成する生地は、少なくとも左右方向に伸縮性が高い生地であるのが好ましく、上下左右の方向に伸縮性が高い生地であるのがより好ましい。これにより、腕の上下運動がシャツにより阻害されるのをより効果的に防止することができる。
左脇部９は、前身頃１、後身頃２、左肩ヨーク３、及び左袖７と縫い合わされている。
また、右脇部１０は、前身頃１、後身頃２、右肩ヨーク４、及び右袖８と縫い合わされている。
左脇部９及び右脇部１０の形状は、図３に示すように、胸側に向かってせり出した形状、言い換えると、胸側に向かって凸上の山型であるのが好ましい。
【００１７】
後身頃２の背中部分には、ダーツ１５が形成されていることが好ましい。なお、ダーツ１５とは、布にヒダを取ってつまみ縫いした部分をいい、その折り山が途中で消えるものである。後身頃２の背中部分にダーツ１５を形成することで、ウエストが絞られて、すっきりしたシルエットに見えるようになる。特に本発明では、図１及び図２に示すように、後身頃２の背中部分に、縦方向に２本のダーツ１５を形成することが好ましい。縦方向に２本のダーツ１５を形成することで、鍛え上げた筋肉を持つ人が着たときに、ウエストがさらに絞られたシルエットに見えるようになる。
なお、ダーツ１５は無くてもよい。
【００１８】
前身頃１は、通常、中央ラインで左右２つに分断されており、そこには前立て１１が形成される。前立て１１としては、シャツの前端が表側に折り返っている表前立て、シャツの前端が内側に折り返っている裏前立て、前立てを二重にしてボタンを見えなくした比翼仕立てなどが挙げられ、例えば、図１及び図２に示すシャツでは、表前立てが形成されている。前立て１１の上側になる前身頃１（上前身頃）には適宜ボタンホール１２が形成され、前立て１１の下側になる前身頃１（下前身頃）には、ボタンホール１２の位置に合わせてボタン１３が縫い付けられる。なお、前身頃１は、中央ラインで左右２つに分断されていなくてもよく、中央ラインの上部から中央付近までが分断されており、その部分に前立て１１が形成されていてもよく、前立て１１が形成されていないシャツでも構わない。
【００１９】
衿６は、通常、土台となる帯状の台衿と、衿の先端部分である衿先で構成されており、台衿の下辺と前身頃１の上辺及び中央ヨーク５の上辺とが縫い合わされている。衿６の形状としては、レギューラカラー、ショートポイントカラー、ロングポイントカラー、ナロースプレッドカラー、ワインドスプレッドカラー、フレンチカラー、ミディアムスプレッドカラー、ホリゾンタイルカラー、ボタンダウン、スナップダウン、タブカラー、ピンホールカラー、イタリアンカラー、ラウンドチップカラー、ラウンドカラー、マイターカラー、スタンドカラー、ウイングカラー、ラウンドウイングカラー、ドュエボットーニ、トレボットーニ、クレリックなどが挙げられる。なお、衿６は必須構成ではなく、衿６のないシャツでも構わない。
【００２０】
左袖７及び右袖８は、腕の少なくとも一部を覆う部分で、長袖、七分袖、五分袖、半袖などが知られている。一般に、長袖の場合の左袖７及び右袖８の先端には、シャツの着脱や袖まくりが便利になるように切り込みが形成され、その部分に短冊状の剣ボロが縫い付けられており、さらに左袖７及び右袖８の先端を留めるカフスが縫い付けられている。カフスとしては、コンバーチブルカフス、ダブルカフス、シングルカフス、ターンナップカフス、テニスカフスなどが挙げられる。なお、袖５は必須構成ではなく、左袖７及び右袖８のないシャツでも構わない。
【００２１】
前身頃１の胸部分には、ポケット１４が形成されていてもよい。ポケット１４の形状としては、角落とし、スクエア、ベース、ペンタゴン、フラップ、ラウンドなどが挙げられる。なお、ポケット１４は必須構成ではなく、ポケット１４のないシャツでも構わない。
【００２２】
また、裾部分の形状としては、テールドボトム、スワローボトム、スクエアボトムなどが挙げられる。裾部分には、前身頃１と後身頃２の縫い目が裂けないように補強するガジェットが縫い付けられていてもよい。
【００２３】
衣服を形成する生地の素材及び織り方は、衣服の使用目的等を考慮して適宜選択すればよい。生地の素材としては、綿、麻、ポリエステルなどが挙げられる。生地の織り方としては、ブロード、オックスフォード、サテン、シャンブレー、ローン、ボイル、刺子織、絡み織、フランス綾カルゼ、バスケット、ヘリンボーン、ドビー、ジャガードなどが挙げられる。
【００２４】
以上のような衣服であれば、アスリートのような鍛え上げた筋肉を持つ人が着たときに、ボディラインを美しく魅せることができる。また、腕や肩などの動きが阻害されるのを防止することができる。
【００２５】
なお、図４に示すように、中央ヨーク５が無く、左肩ヨーク３と右肩ヨーク４とが直接縫い合わされていてもよい。
また、左肩側縫製部Ａ及び右肩側縫製部Ｂは、図２及び図４に示すような直線状のものに限定されず、例えば、図５、６に示すように、曲線状であってもよい。
また、中央ヨーク５は、図２に示すような三角形の形状であるものに限定されず、例えば、図６に示すような四角形状であってもよいし、丸形状やその他の多角形状であってもよい。
また、上記説明では、左肩ヨーク３と右肩ヨーク４とは、別の生地で構成されているものして説明したが、左肩ヨーク３と右肩ヨーク４とは、一枚の生地で構成されていてもよい。
【符号の説明】
【００２６】
１      前身頃
２      後身頃
３      左肩ヨーク
４      右肩ヨーク
５      中央ヨーク
６      衿
７      左袖
８      右袖
９      左脇部
１０    右脇部
１１    前立て
１２    ボタンホール
１３    ボタン
１４    ポケット
１５    ダーツ
１００  ワイシャツ
Ａ      左肩側縫製部
Ｂ      右肩側縫製部
【図１】
2020176348.tif 000003
【図２】
2020176348.tif 000004
【図３】
2020176348.tif 000005
【図４】
2020176348.tif 000006
【図５】
2020176348.tif 000007
【図６】
2020176348.tif 000008